(57)【特許請求の範囲】
【請求項１】
トレッド部からサイドウォール部を経てビード部のビードコアに至るカーカスと、このカーカスのタイヤ半径方向外側かつ前記トレッド部の内部に配されたベルト層と、このベルト層のタイヤ半径方向外側に配されるバンド層とを具えた空気入りタイヤであって、
前記バンド層は、１本又は複数本のバンドコードをトッピングゴムにより被覆した長尺の帯状プライが前記ベルト層のタイヤ半径方向の外側に螺旋状に巻き付けられているジョイントレスプライを含み、
前記ジョイントレスプライは、前記帯状プライが、タイヤ赤道と前記ベルト層のタイヤ軸方向の一端側との間に位置する第１端から前記ベルト層のタイヤ軸方向の一端上まで巻き付けられている第１プライと、
前記帯状プライが、前記第１プライのタイヤ軸方向の一端上から前記ベルト層のタイヤ軸方向の他端上まで巻き付けられている第２プライと、
前記帯状プライが、前記第２プライのタイヤ軸方向の他端上からタイヤ赤道に向かって前記第２プライのタイヤ軸方向の他端とタイヤ赤道との間の第２端まで巻き付けられている第３プライとを含み、さらに、
前記帯状プライがタイヤ周方向と平行に巻き付けられた周方向部と、この周方向部に連なりかつタイヤ周方向に対して傾斜する傾斜部とを含み、
前記帯状プライは、前記第１プライの前記第１端から前記第３プライの前記第２端まで途切れることなく連続し、
前記タイヤ軸方向で隣り合う前記帯状プライの側縁が互いに接し、
タイヤ半径方向で重なり合う前記第１プライの前記傾斜部と前記第２プライの前記傾斜部とは、タイヤ周方向で連なり、かつ、タイヤ半径周方向で重なり合う前記第２プライの前記傾斜部と前記第３プライの前記傾斜部とは、タイヤ周方向で連なり、さらに、
前記第１プライの前記傾斜部は、前記第３プライの前記傾斜部とタイヤ周方向に異なる位置に配されていることを特徴とする空気入りタイヤ。
【請求項２】
前記バンド層のタイヤ軸方向の外縁は、前記ベルト層のタイヤ軸方向の外縁と一致している請求項１記載の空気入りタイヤ。
【請求項３】
前記第１プライ及び前記第３プライのタイヤ軸方向の幅は、１０〜６０mmである請求項１又は２に記載の空気入りタイヤ。
【請求項４】
前記帯状プライは、幅が３．０〜１５．０mm、厚さが０．６〜１．５mm、及び、バンドコードの６６N負荷時の伸度が０．７％〜２２．０％である請求項１乃至３のいずれかに記載の空気入りタイヤ。
【請求項５】
前記第１プライの前記周方向部は、前記第２プライの前記周方向部とタイヤ半径方向で接する部分を有し、前記第３プライの前記周方向部は、前記第２プライの前記周方向部とタイヤ半径方向で接する部分を有する請求項１乃至４のいずれかに記載の空気入りタイヤ。
【請求項６】
請求項１乃至５のいずれかに記載された空気入りタイヤの製造方法であって、
前記帯状プライを前記ベルト層のタイヤ半径方向の外側に螺旋状に巻き付けるバンド層成形工程を含み、
前記バンド層成形工程は、前記第１プライを成形する第１工程と、前記第１工程の後、前記第２プライを成形する第２工程と、前記第２工程の後、前記第３プライを成形する第３工程とを含み、
前記第１プライの前記始端から前記第３プライの前記終端まで連続した前記帯状プライを用いて形成することを特徴とする空気入りタイヤの製造方法。
【発明の詳細な説明】
【技術分野】
【０００１】
本発明は、バンド層を構成するジョイントレスプライを改善することにより、ベルト層への拘束力を高め、タイヤの耐久性能を向上させた空気入りタイヤ及びその製造方法に関する。
【背景技術】
【０００２】
図７には、空気入りタイヤのトレッド部の内部構造の展開図が示される。この空気入りタイヤは、カーカスａと、そのタイヤ半径方向外側に配された内外のベルトプライｂ１、ｂ２からなるベルト層ｂと、ベルト層ｂのタイヤ半径方向外側に配されたバンド層ｃとを具えている。バンド層ｃは、内側プライｃ１と、内側プライｃ１のタイヤ半径方向外側かつタイヤ軸方向の両側に設けられた一対の外側プライｃ２、ｃ２と有するジョイントレスプライｄを含んでいる。このようなバンド層ｃは、ベルト層ｂを拘束して、そのリフティング等を抑え、タイヤの耐久性能を向上させる。
【０００３】
しかしながら、内側プライｃ１、及び、一対の外側プライｃ２、ｃ２は、帯状プライｅを構成するバンドコード（図示省略）が互いに連続するものではないため、ベルト層ｂへの拘束力をさらに高めることができないという問題があった。
【先行技術文献】
【特許文献】
【０００４】
【特許文献１】特開２００５−２４７０７０号公報
【発明の概要】
【発明が解決しようとする課題】
【０００５】
本発明は、以上のような実状に鑑み案出されたもので、ベルト層を十分に拘束し、耐久性能を向上させた空気入りタイヤ及びその製造方法を提供することを主たる目的としている。
【課題を解決するための手段】
【０００６】
本発明は、トレッド部からサイドウォール部を経てビード部のビードコアに至るカーカスと、このカーカスのタイヤ半径方向外側かつ前記トレッド部の内部に配されたベルト層と、このベルト層のタイヤ半径方向外側に配されるバンド層とを具えた空気入りタイヤであって、前記バンド層は、１本又は複数本のバンドコードをトッピングゴムにより被覆した長尺の帯状プライを前記ベルト層のタイヤ半径方向の外側に螺旋状に巻き付けることにより形成されたジョイントレスプライを含み、前記ジョイントレスプライは、前記帯状プライが、タイヤ赤道と前記ベルト層のタイヤ軸方向の一端側との間に位置する始端から前記ベルト層のタイヤ軸方向の一端上まで巻き付けられた第１プライと、前記帯状プライが、前記第１プライのタイヤ軸方向の一端上から前記ベルト層のタイヤ軸方向の他端上まで巻き付けられた第２プライと、前記帯状プライが、前記第２プライのタイヤ軸方向の他端上からタイヤ赤道に向かって前記第２プライのタイヤ軸方向の他端とタイヤ赤道との間の終端まで巻き付けられた第３プライとを含み、前記帯状プライは、前記第１プライの前記始端から前記第３プライの前記終端まで途切れることなく連続していることを特徴とする。 
【０００７】
本発明に係る前記空気入りタイヤは、タイヤ軸方向で隣り合う前記帯状プライの側縁が互いに接しているのが望ましい。
【０００８】
本発明に係る前記空気入りタイヤは、前記ジョイントレスプライは、前記帯状プライがタイヤ周方向と平行に巻き付けられた周方向部と、この周方向部に連なりかつタイヤ周方向に対して傾斜する傾斜部とを含んでいるのが望ましい。
【０００９】
本発明に係る前記空気入りタイヤは、前記バンド層のタイヤ軸方向の外縁は、前記ベルト層のタイヤ軸方向の外縁と一致しているのが望ましい。
【００１０】
本発明に係る前記空気入りタイヤは、前記第１プライ及び前記第３プライのタイヤ軸方向の幅は、１０〜６０mmであるのが望ましい。
【００１１】
本発明に係る前記空気入りタイヤは、前記帯状プライは、幅が３．０〜１５．０mm、厚さが０．６〜１．５mm、及び、バンドコードの６６N負荷時の伸度が０．７％〜２２．０％であるのが望ましい。
【００１２】
本発明は、請求項１乃至６のいずれかに記載された空気入りタイヤの製造方法であって、前記帯状プライを前記ベルト層のタイヤ半径方向の外側に螺旋状に巻き付けるバンド層成形工程を含み、前記バンド層成形工程は、前記第１プライを成形する第１工程と、前記第１工程の後、前記第２プライを成形する第２工程と、前記第２工程の後、前記第３プライを成形する第３工程とを含み、前記第１プライの前記始端から前記第３プライの前記終端まで連続した前記帯状プライを用いて形成することを特徴とする。
【発明の効果】
【００１３】
本発明の空気入りタイヤは、１本又は複数本のバンドコードをトッピングゴムにより被覆した長尺の帯状プライをベルト層のタイヤ半径方向の外側に螺旋状に巻き付けることにより形成されたジョイントレスプライを含むバンド層を有している。ジョイントレスプライは、帯状プライが、タイヤ赤道とベルト層のタイヤ軸方向の一端側との間に位置する始端からベルト層のタイヤ軸方向の一端上まで巻き付けられた第１プライと、帯状プライが、第１プライのタイヤ軸方向の一端上からベルト層のタイヤ軸方向の他端上まで巻き付けられた第２プライと、帯状プライが、第２プライのタイヤ軸方向の他端上からタイヤ赤道に向かって第２プライのタイヤ軸方向の他端とタイヤ赤道との間の終端まで巻き付けられた第３プライとを含んでいる。これにより、ベルト層のタイヤ軸方向の両側が、バンド層の２層のプライで覆われるため、ベルト層のリフティング等が抑制される。従って、タイヤの耐久性能が向上する。
【００１４】
また、帯状プライは、第１プライの始端から第３プライの終端まで途切れることなく連続している。これにより、ジョイントレスプライの両端部でバンドコードが連続するため、ベルト層への拘束力がさらに高められ、空気入りタイヤの耐久性能が、一層、向上する。
【図面の簡単な説明】
【００１５】
【図１】本発明の一実施形態の空気入りタイヤの右半分の断面図である。
【図２】帯状プライの一実施形態を示す斜視図である。
【図３】本実施形態のバンド層の展開平面図である。
【図４】図３のＡ−Ａ断面図である。
【図５】本発明の製造工程を説明する概略図である。
【図６】本発明の製造工程を説明する概略図である。
【図７】従来のバンド層を説明するトレッド部の内部構造の展開平面図である。
【発明を実施するための形態】
【００１６】
以下、本発明の実施の一形態が図面に基づき説明される。
図１は、本発明の一実施形態を示す空気入りタイヤ（以下、単に「タイヤ」という場合がある）の正規状態におけるタイヤ軸を含む右半分のタイヤ子午線断面図である。正規状態とは、タイヤを正規リムにリム組みし、かつ、正規内圧を充填した無負荷の状態である。以下、特に言及しない場合、タイヤの各部の寸法はこの正規状態で測定された値とする。
【００１７】
前記「正規リム」とは、タイヤが基づいている規格を含む規格体系において、当該規格がタイヤ毎に定めるリムであり、例えばＪＡＴＭＡであれば標準リム、ＴＲＡであれば "Design Rim" 、ＥＴＲＴＯであれば "Measuring Rim" である。さらに「正規内圧」とは、タイヤが基づいている規格を含む規格体系において、各規格がタイヤ毎に定めている空気圧であり、ＪＡＴＭＡであれば最高空気圧、ＴＲＡであれば表 "TIRE LOAD LIMITS AT VARIOUS COLD INFLATION PRESSURES" に記載の最大値、ＥＴＲＴＯであれば "INFLATION PRESSURE" である。例えば、レース用タイヤのように、適用される規格がない場合、正規リム及び正規内圧には、メーカにより推奨されるリム及び空気圧が適用される。
【００１８】
図１には、サーキット走行に用いられるレース用のスリックタイプのタイヤが示されている。なお、本発明のタイヤは、レース用のものに限定されるものではなく、例えば、乗用車用やトラック・バスなどの重荷重用のものにも採用される。
【００１９】
図１に示されるように、本実施形態のタイヤは、トレッド部２からサイドウォール部３を経てビード部４のビードコア５に至るカーカス６と、このカーカス６のタイヤ半径方向外側かつトレッド部２の内部に配されたベルト層７と、このベルト層７のタイヤ半径方向外側に配されたバンド層８とを有している。
【００２０】
カーカス６は、一対のビードコア５、５間をトロイド状に跨る本体部６ａと、この本体部６ａの両側に連なりかつビードコア５の回りでタイヤ軸方向内側から外側に折り返された折返し部６ｂとを有する少なくとも１枚のカーカスプライからなる。本実施形態のカーカスプライは、タイヤ半径方向内外に重ねられた２枚のカーカスプライ６Ａ、６Ｂから形成されている。
【００２１】
各カーカスプライ６Ａ、６Ｂは、カーカスコードをトッピングゴムで被覆したコードプライである。カーカスコードは、タイヤ赤道Ｃに対して、例えば７０〜９０°の角度で配されている。カーカスコードには、有機繊維が好適に用いられ、例えば、アラミド、ポリエチレンナフタレート（ＰＥＮ）、ナイロン、レーヨン等から選択される。
【００２２】
ベルト層７は、ベルトコードをタイヤ赤道Ｃに対して、例えば１６〜９０°の角度で傾けて配列した少なくとも１枚以上、本実施形態ではタイヤ半径方向内、外２枚のベルトプライ７Ａ、７Ｂで構成されている。ベルトプライ７Ａ、７Ｂのベルトコードは、互いに交差する向きに重ね合わせられている。ベルトコードには、例えば、スチールコード、ケブラー（デュポン社の登録商標）等が好適に採用される。このようなベルト層７は、カーカス６をタガ締めして、トレッド部２の剛性を高め、耐久性能を向上させる。
【００２３】
本実施形態のベルトプライ７Ａ、７Ｂは、ともに、両側のサイドウォール部３の近傍までのびている。本実施形態では、内のベルトプライ７Ａが、外のベルトプライ７Ｂに比べて幅広に形成されている。特に限定されるものではないが、各ベルトプライ７Ａ、７Ｂのタイヤ軸方向の幅Ｗａ、Ｗｂは、２５０〜４００mm程度のものが望ましい。内のベルトプライ７Ａのタイヤ軸方向の幅Ｗａと外のベルトプライ７Ｂのタイヤ軸方向の幅Ｗｂとの差Ｗａ−Ｗｂは、好ましくは、１０mm以下である。
【００２４】
ベルト層７は、例えば、内のベルトプライ７Ａのタイヤ軸方向の両側がタイヤ赤道Ｃ側に折返され、外のベルトプライ７Ｂのタイヤ半径方向外側に重ねられた所謂フォールド構造であっても良い（図示省略）。
【００２５】
バンド層８は、バンドコード９（図２に示す）をタイヤ周方向に対して５度以下の角度で配列したバンドプライ１３によって形成される。本実施形態のバンドプライ１３は、ベルト層７の全幅を覆うフルバンドプライ１４と、フルバンドプライ１４のタイヤ軸方向両側に配される一対のエッジバンドプライ１５、１５とからなる。
【００２６】
バンドコード９としては、例えば、ケブラー、ナイロン、レーヨン、芳香族ポリアミド又はＰＥＮなどの有機繊維コードが好適に用いられる。また、バンドコード９の６６N負荷時の伸度は、好ましくは、０．７％〜２２．０％である。これにより、バンド層８は、とりわけベルト層７のタイヤ軸方向の両側に大きな拘束力を作用させ、ベルト層７のリフティング等を抑制し、耐久性能を向上させる。
【００２７】
本実施形態では、バンド層８のタイヤ軸方向の外縁８ｅは、ベルト層７のタイヤ軸方向の外縁７ｅとタイヤ半径方向に一致している。バンド層８の外縁８ｅが、ベルト層７の外縁７ｅよりもタイヤ赤道Ｃ側に配される場合、バンド層８によるベルト層７への拘束力が低下するおそれがある。バンド層８の外縁８ｅが、ベルト層７の外縁７ｅよりもタイヤ軸方向外側に配される場合、ベルト層７からタイヤ軸方向外側にはみ出したバンド層８が、タイヤの転動による亀裂の起点になるおそれがある。バンド層８の外縁８ｅとベルト層７のタイヤ軸方向の外縁７ｅとが一致するとは、バンド層８の外縁８ｅとベルト層７の外縁７ｅとが完全に一致するのは勿論、バンド層８の外縁８ｅとベルト層７の外縁７ｅとのタイヤ軸方向の距離Ｌａが１．５mm以下の場合も含んでいる。本実施形態では、フルバンドプライ１４のタイヤ軸方向の両外縁１４ｅ、１４ｅ及びエッジバンドプライ１５のタイヤ軸方向の外縁１５ｅが、内のベルトプライ７Ａの外縁７ｅと一致している。
【００２８】
図３には、バンド層８の平面展開図が示される。図３の縦軸は、タイヤ周方向の角度、横軸は、タイヤ軸方向（ベルト層の幅方向）を示している。図４には、カーカスプライ６Ａ及びベルトプライ７Ａ、７Ｂを含んだ図３のＡ−Ａ断面が示される。図３及び図４に示されるように、バンド層８は、長尺の帯状プライ１１（図２に示す）をベルト層７の外側に螺旋状に巻き付けることにより形成されたジョイントレスプライ１２で構成されている。
【００２９】
図２に示されるように、帯状プライ１１は、略等間隔で平行に配列された１本又は複数本のバンドコード９をトッピングゴム１０によって被覆した略長方形状断面を有する小幅リボン状である。
【００３０】
帯状プライ１１の幅Ｗ１は、例えば３．０〜１５．０mmが望ましい。幅Ｗ１が３．０mm未満では、ジョイントレスプライ１２を形成する際に帯状プライ１１の巻付け回数が多くなって生産性が悪化しやすく、逆に１５．０mmを超えると、巻付け作業時に皺などが発生し易くなる傾向がある。タイヤの耐久性能と巻き付け作業性とをバランス良く確保するため、帯状プライ１１の厚さｔは、好ましくは、０．６〜１．５mmである。同様の観点より、１本の帯状プライ１１に含まれるバンドコード９は、好ましくは、３〜１４本である。
【００３１】
図３及び図４に示されるように、ジョイントレスプライ１２は、第１プライ１６と、第１プライ１６よりも幅広の第２プライ１７と、第２プライ１７よりも幅狭の第３プライ１８とで構成されている。図４では、便宜上、第２プライ１７が薄着色で示される。
【００３２】
第１プライ１６は、帯状プライ１１が、タイヤ赤道Ｃとベルト層７のタイヤ軸方向の一端７ｉ側との間に位置する始端１１ａからベルト層７のタイヤ軸方向の一端７ｉ上まで連続して巻き付けられることにより形成されている。
【００３３】
第２プライ１７は、帯状プライ１１が、第１プライ１６のタイヤ軸方向の一端１６ｉ上からベルト層７のタイヤ軸方向の他端７ｔ上まで連続して巻き付けられることにより形成されている。
【００３４】
第３プライ１８は、帯状プライ１１が、第２プライ１７のタイヤ軸方向の他端１７ｔ上からタイヤ赤道Ｃに向かって第２プライ１７のタイヤ軸方向の他端１７ｔとタイヤ赤道Ｃとの間の終端１１ｂまで連続して巻き付けられることにより形成されている。
【００３５】
即ち、本実施形態では、第１プライ１６のタイヤ半径方向の外側に配される第２プライ１７Ａは、一方のエッジバンドプライ１５Ａを形成している。また、第３プライ１８は、他方のエッジバンドプライ１５Ｂを形成している。第１プライ１６と、第１プライ１６のタイヤ軸方向外側に配される第２プライ１７Ｂとがフルバンドプライ１４を形成している。
【００３６】
帯状プライ１１は、第１プライ１６の始端１１ａから第３プライ１８の終端１１ｂまで途切れることなく連続している。これにより、ジョイントレスプライ１２の両端部でバンドコード９（図２に示す）が連続するため、ベルト層７への拘束力がさらに高められ、タイヤの耐久性能が、さらに、向上する。
【００３７】
帯状プライ１１の側縁１１ｅは、タイヤ軸方向で隣り合う帯状プライ１１の側縁１１ｅと互いに接している。これにより、バンド層８は、タイヤ軸方向に亘ってベルト層７への均一な拘束力をベルト層７に与えるため、耐久性能がさらに向上する。
【００３８】
第１プライ１６及び第３プライ１８のタイヤ軸方向の幅Ｗｃ（図１に示す）は、好ましくは１０〜６０mmである。これにより、タイヤ質量の増加を抑制しつつ、効果的にベルト層７のリフティングを抑制することができる。
【００３９】
図３に示されるように、ジョイントレスプライ１２は、帯状プライ１１がタイヤ周方向と平行に巻き付けられた周方向部２０と、周方向部２０に連なりかつタイヤ周方向に対して傾斜する傾斜部２１とを含んでいる。このような傾斜部２１は、傾斜部２１に連なる周方向部２０をタイヤ軸方向へ位置ずれさせる。
【００４０】
本実施形態の傾斜部２１は、タイヤ軸方向に隣り合う周方向部２０、２０を帯状プライ１１の幅Ｗ１ピッチでタイヤ軸方向に離間させる。これにより、タイヤ軸方向で隣り合う帯状プライ１１の側縁１１ｅを互いに接するように形成することができる。
【００４１】
本実施形態では、第１プライ１６、第２プライ１７及び第３プライ１８のそれぞれに、周方向部２０と傾斜部２１とが設けられている。第１プライ１６、第２プライ１７及び第３プライ１８の傾斜部２１は、本実施形態では、それぞれタイヤ周方向に対して同じ位置に設けられている。
【００４２】
本実施形態では、タイヤ半径方向で重なり合う第１プライ１６の傾斜部２１と第２プライ１７の傾斜部２１とが、タイヤ周方向で連なっている。また、タイヤ半径方向で重なり合う第２プライ１７の傾斜部２１と第３プライ１８の傾斜部２１とがタイヤ周方向で連なっている。これにより、さらに均一な厚さのバンド層８を形成することができ、均一な拘束力を発生することができる。このため、バンド層８の剛性段差が小さくなり、さらに、タイヤの耐久性能が向上する。
【００４３】
上述の作用をさらに発揮させるため、本実施形態では、最もタイヤ赤道Ｃ側の第１プライ１６の傾斜部２１の側縁１１ｅと始端１１ａとが接している。同様に、最もタイヤ赤道Ｃ側の第３プライ１８の傾斜部２１の側縁１１ｅと終端１１ｂとが接している。
【００４４】
傾斜部２１のタイヤ周方向に対する角度αは、好ましくは、０．１〜２．０°である。傾斜部２１の角度αが０．１°未満の場合、周方向部２０のタイヤ周方向長さが大きくなり、ベルト層７への拘束力が低下するおそれがある。また、傾斜部２１の角度αが２．０°を超える場合、バンドコード９の折れ曲がり角度が大きくなり、帯状プライ１１に皺等が発生し、バンド層８を精度よく形成できないおそれがある。
【００４５】
図５及び図６には、本実施形態のタイヤのバンド層８の製造方法の一例が、概念的に示される。図５（ａ）に示されるように、この製造方法では、製造装置Ｔが用いられる。本実施形態の製造装置Ｔは、基台２５と、この基台２５に回動自在に支持された略円筒状をなすドラム２６と、ドラム２６に帯状プライ１１を供給しうる１台のアプリケータ２７とを含んでいる。
【００４６】
基台２５には、ドラム２６を回転軸２６ｃにより回転させるための動力伝達装置等（図示せず）が含まれている。
【００４７】
アプリケータ２７は、例えばコンベヤ状で形成され、その搬送面で帯状プライ１１をドラム２６の周方向面２６ａへと供給する。アプリケータ２７の上流側には、例えば、帯状プライ１１を連続して押し出すゴム押出機などが設けられる（図示省略）。これにより、アプリケータ２７から、帯状プライ１１が連続して供給される。アプリケータ２７は、例えば、ドラム２６に対してその軸方向及び半径方向に往復移動可能な３次元移動装置（図示省略）などで支持されている。
【００４８】
本実施形態のバンド層８を成形するバンド層成形工程は、次の通りである。
先ず、カーカス６とベルト層７とが周方向面２６ａに巻き付けられたドラム２６が、準備される。なお、カーカス６及びベルト層７は、本実施形態の製造装置Ｔを用いて製造されても良い。
【００４９】
次に、第１プライ１６を成形する第１工程が行われる。先ず、アプリケータ２７で案内された帯状プライ１１の始端１１ａが、周方向面２６ａ上のタイヤ赤道Ｃとベルト層７のタイヤ軸方向の一端７ｉ側との間で止着される。帯状プライ１１を確実に止着するために、例えば、押圧ローラ（図示省略）が用いられるのが望ましい。
【００５０】
次に、図５（ｂ）に示されるように、ドラム２６を回転（矢印方向Ａ）させるとともに、アプリケータ２７を固定して周方向部２０が形成される。また、アプリケータ２７をベルト層７のタイヤ軸方向の一端７ｉ側（矢印方向）に移動させて第１プライ１６の傾斜部２１が形成される。このように、ドラム２６を回転させつつ、アプリケータ２７の固定と移動とを繰り返すことにより、周方向部２０と、傾斜部２１とが交互に形成される。なお、帯状プライ１１の傾斜部２１のタイヤ周方向長さは、アプリケータ２７のタイヤ軸方向の移動速度又はドラム２６の回転速度を調節することで自在に調整される。
【００５１】
次に、図６（ａ）に示されるように、第１工程の後、帯状プライ１１が切断されることなく、第２プライ１７を成形する第２工程が行われる。第２工程では、アプリケータ２７が、ベルト層７のタイヤ軸方向の他端７ｔ側（矢印方向）に向かって移動される。第２工程においても、ドラム２６を回転させつつ、アプリケータ２７の固定と移動とを繰り返すことにより、第２プライ１７の周方向部２０と、傾斜部２１とが交互に形成される。
【００５２】
次に、図６（ｂ）に示されるように、第２工程の後、帯状プライ１１が切断されることなく、第３プライ１８を成形する第３工程が行われる。第３工程では、アプリケータ２７が、ベルト層７のタイヤ軸方向の一端７ｉ側（矢印方向）に向かって移動される。第３工程においても、ドラム２６を回転させつつ、アプリケータ２７の固定と移動とが繰り返されて、周方向部２０と傾斜部２１とが形成される。
【００５３】
最後に、図６（ｃ）に示されるように、アプリケータ２７で案内された帯状プライ１１の終端１１ｂが、周方向面２６ａのタイヤ赤道Ｃとベルト層７のタイヤ軸方向の他端側との間で止着される。このように、本実施形態においては、第１プライ１６の始端１１ａから第３プライ１８の終端１１ｂまで連続した帯状プライ１１が用いられて、バンド層８が形成される。なお、帯状プライ１１の皺やドラム２６からの脱落を防止するため、アプリケータ２７から供給される帯状プライ１１に張力を与えるよう、第１工程から第３工程までドラム２６を連続して回転させておくのが望ましい。
【００５４】
以上、本発明の空気入りタイヤ及びその製造方法について詳細に説明したが、本発明は上記の具体的な実施形態に限定されることなく種々の態様に変更して実施される。
【実施例】
【００５５】
図１の基本構造を有するサイズ３３０／７１０Ｒ１８のレーシング用スリックタイプの空気入りタイヤが、表１の仕様に基づき試作され、各試供タイヤの耐久性能がテストされた。各試供タイヤの共通仕様やテスト方法は、以下の通りである。
内のベルトプライの幅Ｗａ：３２０mm
外のベルトプライの幅Ｗｂ：３１０mm
第１プライ及び第３プライの幅Ｗｃ：４０mm
第２プライの幅Ｗｄ：３２０mm
【００５６】
＜耐久性能＞
各テストタイヤが、下記の条件で、直径１．７mの高速走行ドラム試験機にて走行され、トレッド部のショルダー付近に損傷が発生するまでの走行時間と、損傷発生時の表面温度とが測定された。結果は、実測値で表示されている。プライ走行時間は、数値が大きいほど良好である。表面温度は、数値が小さいほど良好である。なお、比較例のタイヤは、３本の帯状プライを用いて、第１プライ乃至第３プライが製造された。
リム（全輪）：幅１３インチ、径１８インチ
内圧（全輪）：１．８MPa
荷重（前輪）：５．９kN
タイヤの速度：２５０km/h
アプリケータ：１台
テストの結果が表１に示される。
【００５７】
【表１】
0005957430.tif 000002
【００５８】
テストの結果、実施例のタイヤは、比較例に比べて耐久性能が優れていることが確認できた。
【符号の説明】
【００５９】
７    ベルト層
８    バンド層
１１    帯状プライ
１１ａ  始端
１１ｂ  終端
１２    ジョイントレスプライ
１６    第１プライ
１７    第２プライ
１８    第３プライ
Ｃ    タイヤ赤道
【図１】
0005957430.tif 000003
【図２】
0005957430.tif 000004
【図３】
0005957430.tif 000005
【図４】
0005957430.tif 000006
【図５】
0005957430.tif 000007
【図６】
0005957430.tif 000008
【図７】
0005957430.tif 000009